【事件の表示】
　特許第２７１８４１８号「デカンタ型遠心分離機」の請求項１ないし６に係る特許に対する特許異議の申立てについて、次のとおり決定する。
【結論】
　訂正を認める。
　特許第２７１８４１８号の請求項１ないし５に係る特許を維持する。
【理由】
Ｉ．手続の経緯
　特許第２７１８４１８号の請求項１乃至６に係る発明は、平成５年１１月２９日に出願され、平成９年１１月１４日にその特許の設定登録がなされた。
　その後、これに対して、特許異議申立人株式会社クボタ及びコトブキ技研工業株式会社より特許異議の申立てがなされ、取消理由通知がなされ、その指定期間内である平成１１年２月８日付けで訂正請求がなされたものである。
ＩＩ．訂正請求について
（１）訂正の内容
　当該訂正の内容は、本件特許明細書を訂正請求書のとおりに訂正しようとするものである。すなわち、
▲１▼請求項１の「外側回転筒及び該外側回転筒内に相対回転自在に設けられたスクリューコンベヤを有するデカンタ型遠心分離機において、
　前記外側回転筒は、大径の平行部と該平行部から固形物排出側に傾斜する傾斜部とからなり、該傾斜部の全部又は一部に濾液排出孔が形成され、該傾斜部の排出孔が形成された内壁に多孔質体が配設されていることを特徴とするデカンタ型遠心分離機。」を、
「外側回転筒及び該外側回転筒内に相対回転自在に設けられたスクリューコンベヤを有すると共に前記外側回転筒は、大径の平行部と該平行部から固形物排出側に傾斜する傾斜部とからなり、該傾斜部の全部又は一部に濾液排出孔が形成され、該傾斜部の排出孔が形成された内壁に多孔質体が配設されているデカンタ型遠心分離機において、
　前記大径の平行部の全部又は一部に濾液排出孔が形成され、該濾液排出孔が形成された内壁に多孔質体が配設されており、且つ、前記固形物排出側と反対の前記大径の平行部端には、清澄液の溢流口が設けられていないことを特徴とするデカンタ型遠心分離機。」と訂正する。
▲２▼請求項２の「外側回転筒及び該外側回転筒内に相対回転自在に設けられたスクリューコンベヤを有するデカンタ型遠心分離機において、
　前記外側回転筒は、大径の平行部と、該平行部より固形物排出側に設けられた小径の平行部と、前記平行部を接続する傾斜部とからなり、該小径の平行部の全部又は一部に濾液排出孔が形成され該小径の平行部の排出孔が形成された内壁に多孔質体が配設されていることを特徴とするデカンタ型遠心分離機。」を、
「外側回転筒及び該外側回転筒内に相対回転自在に設けられたスクリューコンベヤを有すると共に前記外側回転筒は、大径の平行部と、該平行部より固形物排出側に設けられた小径の平行部と、前記平行部を接続する傾斜部とからなり、該小径の平行部の全部又は一部に濾液排出孔が形成され、該小径の平行部の排出孔が形成された内壁に多孔質体が配設されているデカンタ型遠心分離機において、
　前記大径の平行部及び前記傾斜部の全部又は一部に濾液排出孔が形成され、該大径の平行部及び該傾斜部の濾液排出孔が形成されたそれぞれの内壁に多孔質体が配設されており、且つ、前記固形物排出側と反対の前記大径の平行部端には、清澄液の溢流口が設けられていないことを特徴とするデカンタ型遠心分離機。」と訂正する。
▲３▼請求項３の「外側回転筒及び該外側回転筒内に相対回転自在に設けられたスクリューコンベヤを有するデカンタ型遠心分離機において、
　前記外側回転筒は、大径の平行部と、該平行部から固形物排出側に順次設けられた第１及び第２の傾斜部とからなり、該第２の傾斜部の全部又は一部に濾液排出孔が形成され、該傾斜部の排出孔が形成された内壁に多孔質体が配設されていることを特徴とするデカンタ型遠心分離機。」を、
「外側回転筒及び該外側回転筒内に相対回転自在に設けられたスクリューコンベヤを有すると共に前記外側回転筒は、大径の平行部と、該平行部から固形物排出側に順次設けられた第１及び第２の傾斜部とからなり、該第２の傾斜部の全部又は一部に濾液排出孔が形成され、該傾斜部の排出孔が形成された内壁に多孔質体が配設されているデカンタ型遠心分離機において、
　前記大径の平行部及び前記第１の傾斜部の全部又は一部に濾液排出孔が形成され、該濾液排出孔が形成されたそれぞれの内壁に多孔質体が配設されており、且つ、前記固形物排出側と反対の前記大径の平行部端には、清澄液の溢流口が設けられていないことを特徴とするデカンタ型遠心分離機。」と訂正する。
▲４▼請求項４を削除する。
▲５▼請求項５の「外側回転筒及び該外側回転筒内に相対回転自在に設けられたスクリューコンベヤを有するデカンタ型遠心分離機において、
　前記外側回転筒は、大径の平行部と、該平行部から固形物排出側に伸びる小径の平行部又は傾斜部とからなり、該大径の平行部のみの全部又は一部に濾液排出孔が形成され、該大径の平行部の排出孔が形成された内壁に多孔質体が配設されていることを特徴とするデカンタ型遠心分離機。」を、新たに請求項４とし、「外側回転筒及び該外側回転筒内に相対回転自在に設けられたスクリューコンベヤを有するデカンタ型遠心分離機において、
　前記外側回転筒は、大径の平行部と、該平行部から固形物排出側に伸びる小径の平行部又は傾斜部とからなり、該大径の平行部のみの全部又は一部に濾液排出孔が形成され、該大径の平行部の排出孔が形成された内壁に多孔質体が配設されており、且つ、前記固形物排出側と反対の前記大径の平行部端には、清澄液の溢流口が設けられていないことを特徴とするデカンタ型遠心分離機。」と訂正する。
▲６▼請求項６の「請求項１乃至５のいずれかのデカンタ型遠心分離機において、前記多孔質体は、セラミック、金属の焼結体、特殊金網、又は樹脂のいずれかより構成されていることを特徴とするデカンタ型遠心分離機。」を、
　新たに請求項５とし、「請求項１乃至４のいずれかのデカンタ型遠心分離機において、前記多孔質体は、セラミック、金属の焼結体、特殊金網、又は樹脂のいずれかより構成されていることを特徴とするデカンタ型遠心分離機。」と訂正する。
▲７▼段落番号２の「スクリューコンベア８」を「スクリューコンベヤ８」（公報第３欄第２９行参照）と、段落番号５の「供給穴９」及び「穴９」（公報第４欄第５行、第８行参照）をともに「供給孔９」と、段落番号９の「速かに」（公報第４欄第３５行参照）を「速やかに」と訂正する。
▲８▼段落番号１２の「上記目的を達成するために、・・・ことを特徴とする。」（公報第５欄第１２〜３９行参照）を、
「上記目的を達成するために、本発明によるデカンタ型遠心分離機は、外側回転筒及び該外側回転筒内に相対回転自在に設けられたスクリューコンベヤを有すると共に、前記外側回転筒は、大径の平行部と該平行部から固形物排出側に傾斜する傾斜部とからなり、該傾斜部の全部又は一部に濾液排出孔が形成され、該傾斜部の排出孔が形成された内壁に多孔質体が配設されているデカンタ型遠心分離機において、前記大径の平行部の全部又は一部に濾液排出孔が形成され、該濾液排出孔が形成された内壁に多孔質体が配設されており、且つ、前記固形物排出側と反対の前記大径の平行部端には、清澄液の溢流口が設けられていないことを特徴とし、また、外側回転筒及び該外側回転筒内に相対回転自在に設けられたスクリューコンベヤを有すると共に、前記外側回転筒は、大径の平行部と、該平行部より固形物排出側に設けられた小径の平行部と、前記平行部を接続する傾斜部とからなり、該小径の平行部の全部又は一部に濾液排出孔が形成され、該小径の平行部の排出孔が形成された内壁に多孔質体が配設されているデカンタ型遠心分離機において、前記大径の平行部及び前記傾斜部の全部又は一部に濾液排出孔が形成され、該大径の平行部及び該傾斜部の濾液排出孔が形成されたそれぞれの内壁に多孔質体が配設されており、且つ、前記固形物排出側と反対の前記大径の平行部端には、清澄液の溢流口が設けられていないことを特徴とし、また、外側回転筒及び該外側回転筒内に相対回転自在に設けられたスクリューコンベヤを有すると共に、前記外側回転筒は、大径の平行部と、該平行部から固形物排出側に順次設けられた第１及び第２の傾斜部とからなり、該第２の傾斜部の全部又は一部に濾液排出孔が形成され、該傾斜部の排出孔が形成された内壁に多孔質体が配設されているデカンタ型遠心分離機において、前記大径の平行部及び前記第１の傾斜部の全部又は一部に濾液排出孔が形成され、該濾液排出孔が形成されたそれぞれの内壁に多孔質体が配設されており、且つ、前記固形物排出側と反対の前記大径の平行部端には、清澄液の溢流口が設けられていないことを特徴し、また、外側回転筒及び該外側回転筒内に相対回転自在に設けられたスクリューコンベヤを有するデカンタ型遠心分離機において、前記外側回転筒は、大径の平行部と、該平行部から固形物排出側に伸びる小径の平行部又は傾斜部とからなり、該大径の平行部のみの全部又は一部に濾液排出孔が形成され、該大径の平行部の排出孔が形成された内壁に多孔質体が配設されており、且つ、前記固形物排出側と反対の前記大径の平行部端には、清澄液の溢流口が設けられていないことを特徴とする。」と訂正する。
▲９▼段落番号１３の「以下、本発明の実施例について説明する。」　（公報第５欄第４１行参照）を、「以下、本発明に先行する実施態様の例（「以下「先行例」という）及び本発明の実施態様の例（以下「実施例」という）について説明する。」と訂正する。
▲１０▼段落番号１４、１７、１８の「実施例」（公報第５欄第４２行、第６欄第１６行、第２２行、第２３行参照）をそれぞれ「先行例」と訂正する。
▲１１▼段落番号１４の「２２適宜個数」（公報第５欄第４７〜４８行参照）を「２２が適宜個数」と、段落番号１４、１７の「排出孔」（公報第５欄４８行、第６欄第１９行参照）をそれぞれ「濾液排出孔」と訂正する。
▲１２▼段落番号１９の「第４の実施例」（公報第６欄第３０行参照）を「一実施例」と、「大径平行部」（公報第６欄第３１行参照）を「大径の平行部」と，、「小径平行部」（公報第６欄第３２行参照）を「小径の平行部」と、「複数の孔」（公報第６欄第３２〜３３行参照）を「複数の濾液排出孔」と、段落番号２０の「濾液清澄」（公報第７欄第２行参照）を「濾液清澄度」と、それぞれ訂正する。
▲１３▼段落番号２１の「本発明」（公報第７欄第４行、第１６行参照）を「本実施例」と、「孔２２Ａ」（公報第７欄第７行参照）を［濾液排出孔２２Ａ」と、「従来型」（公報第７欄第１１行参照）を「従来の」と、「攪って」（公報第７欄第１５行参照）を「損って」と、「細孔２３Ａから孔２２Ａ」（公報第７欄第１７〜１８行参照）を「濾過層２３Ａの細孔から濾液排出孔２２Ａ」と、「細孔２３Ａの」（公報第７欄第１８〜１９行参照）を「濾過層２３Ａの細孔の」と、段落番号２２及び２３の「小径平行部」（公報第７欄第２５行、第２６行参照）をそれぞれ「小径の平行部」と、段落番号２３の「孔２２Ｃ」（公報第７欄第３１行）を「濾液排出孔２２Ｃ」と訂正する。
▲１４▼段落番号２４の「各実施例」（公報第７欄第４０行参照）を「本発明の各先行例及び一実施例」と、段落番号２５の「また、他の実施例として・・・構成とする。」（公報第７欄４４〜４６行参照）を、「また、他の先行例として、以上の第１乃至第３の各先行例において、濾液排出孔の形成されていない大径の平行部、傾斜部にも、濾液排出孔を設ける構成とすることができる。」と訂正する。
▲１５▼段落番号２５の「更に、第１乃至第４実施例・・・設けられている。」（公報第７欄第４７〜４９行参照）を、「更に、別の先行例として、外側回転筒及び該外側回転筒内に相対回転自在に設けられたスクリューコンベヤを有するデカンタ型遠心分離機に於て、前記外側回転筒は、大径の平行部と、該平行部から固形物排出側に伸びる小径の平行部又は傾斜部とからなり、該大径の平行部のみの全部又は一部に濾液排出孔を設ける構成とすることができる。そして、本発明の実施例としては、上記した各先行例において、大径の平行部と濾液排出孔が形成された内壁に多孔質体が配設されており、且つ、前記固形物排出側と反対の前記大径の平行部端には、清澄液の溢流口が設けられていない構成とすることができる。」と訂正する。
▲１６▼段落番号２６及び２７の「実施例」（公報第８欄第１行、第８行参照）を「実施態様」と訂正する。
▲１７▼段落番号２８の「外側回転筒の・・・設けたので」（公報第８欄第１９〜２１行参照）を、「外側回転筒の所要部及び大径の平行部に濾液排出孔を形成し、該濾液排出孔を形成した有孔部の内壁に多孔質体を設けると共に、固形物排出側と反対の前記大径の平行部端には、清澄液の溢流口が設けられていない構成としたので」と訂正する。
▲１８▼図面の簡単な説明の「第１の実施例」、「第２の実施例」、「第３の実施例」をそれぞれ「第１の先行例」、「第２の先行例」、「第３の先行例」と、「第４の実施例」を「一実施例」と、「コンベヤ」を「スクリューコンベヤ」と訂正する。
（２）訂正の適否についての判断
（２−１）訂正の目的の適否、新規事項の有無及び拡張・変更の存否について
　前記▲１▼〜▲６▼の訂正は、デカンタ型遠心分離機の構成の限定、請求項の削除、請求項の削除に伴う請求項番号の整理をするものであるから、いずれも特許請求の範囲の減縮に該当する。
　また、前記▲６▼〜▲１８▼の訂正は、前記特許請求の範囲の減縮等に伴う明りょうでない記載の釈明に該当する。
　そして、これらの訂正は、特許明細書段落番号１９の「外側回転筒は、大径平行部２１Ａ・・・何れの部分にも複数の孔２２Ａ・・・を配して有孔壁とし、各有孔壁内面に、細孔を有する多孔質体からなる濾過層２３Ａ・・・を設置し、」（公報第６欄第３１〜３５行参照）、「外側回転筒右端には、従来型デカンタ型遠心分離機が有していた如き溢流口は設けず」（公報第６欄第４１〜４３行参照）、段落番号２５の「また、他の実施例として、以上の第１乃至第４の実施例において、排出孔の形成されていない大径の平行部、傾斜部にも、排出孔を設ける構成とする。」（公報第７欄第４４〜４６行参照）との記載、図４等に照らせば、願書に添付した明細書又は図面に記載された範囲内においてなされたものであり、また、実質的に特許請求の範囲を拡張し又は変更するものではない。
（２−２）独立特許要件について
（訂正後の本件発明）
　訂正後の本件請求項１乃至５に係る発明（以下「訂正後の本件発明１乃至５」という。）は、訂正明細書の特許請求の範囲請求項１乃至５に記載されたとおりのものである（上記（１）の▲１▼〜▲６▼参照）。
（刊行物記載の発明）
　当審が取消理由通知において引用した刊行物１乃至５には、以下の事項が記載されているものと認める。
・刊行物１：実願昭５８−１１５４５１号（実開昭５９−１１５４５１号参照）のマイクロフィルム
　回転する外筒及び外筒内に回転自在に設けられたスクリューコンベアを有するデカンタ型遠心分離装置において、外筒は大径の平行部と該平行部から固形物排出側に設けられた小径の平行部と、前記平行部を接続する傾斜部（大径の平行部から固形物排出側に傾斜する傾斜部でもある）とからなり、該小径の平行部に排水孔が形成されたスクリーンが配設されたデカンタ型遠心分離機。
・刊行物２：実願昭６３−４７６８７号（実開平１−１５２７３６号参照）のマイクロフイルム
　遠心分離機の回転ボールの内壁に多孔質材を配設し、多孔質材を通して分離スラッジの排水を行うこと。
・刊行物３：ドイツ特許出願公開第４０３３０６９号明細書
　スクリュー遠心分離機において、シリンダドラム被覆部と、円錐状ドラム被覆部を有し、円錐状ドラム被覆部にスクリーン部を設けること。
・刊行物４：ドイツ特許出願公開第４０３３０１２号明細書
　刊行物３と同内容。
・刊行物５：実願昭５８−１２８７８４号（実開昭６０−３５７６３号参照）のマイクロフィルム
　回転する外胴内にスクリュー羽根を回転自在に設けた遠心分離機において、外胴が平行部から濃縮液排出口側に順次設けられた２段の傾斜胴部を有すること。
（対比・判断）
　本件発明１乃至５と刊行物１乃至５記載の発明とを対比する。
　本件発明１乃至５においては、いずれも、「スクリューコンベヤを有するデカンタ型遠心分離機において、大径の平行部の全部又は一部に濾液排出孔が形成され、該濾液排出孔が形成された内壁に多孔質体が配設されており、且つ、固形物排出側と反対の大径の平行部端には、清澄液の溢流口が設けられていない」という構成を必須の構成要件として採用しているが、刊行物１乃至５記載の発明は、いずれもスクリューコンベヤを有するデカンタ型遠心分離機において、固形物排出側と反対の平行部端に清澄液（分離液）の溢流口（排出口）が設けられたものであって、上記必須の構成要件について記載も示唆もされていない。
　そして、本件発明１乃至５は、上記必須の構成要件を採用することによって、濾液の清澄度が向上するという明細書記載の作用効果を奏するものであるから、本件発明１乃至５は、刊行物１乃至５記載の発明に基づいて当業者が容易に発明をすることがでたものとは認められない。
（２−３）むすび
　以上のとおりであるから、上記訂正請求は、特許法第１２０条の４第２項及び同第３項において準用する特許法第１２６条第２乃至４項の規定に適合するので、当該訂正を適法なものとして認める。
ＩＩＩ．特許異議申立についての判断
（１）本件発明
　本件請求項１乃至５に係る発明（以下「本件発明１乃至５」という。）は、訂正明細書の特許請求の範囲請求項１乃至５に記載されたとおりのものである。
（２）特許異議申立の理由の概要
ア．特許異議申立人株式会社クボタの特許異議申立て理由
　本件請求項１乃至５（旧請求項１乃至６）に係る発明は、本件出願口前頒布された甲第１乃至７号証刊行物に記載された発明に基づいて当業者が容易に発明をすることができたものであるから、特許法第２９条第２項の規定により特許を受けることができない。
イ．特許異議申立人コトブキ技研工業株式会社の特許異議申立て理由
　本件請求項１乃至５（旧請求項１乃至６）に係る発明は、本件出願日前頒布された甲第２乃至５号証刊行物に記載された発明に基づいて当業者が容易に発明をすることができたものであるから、特許法第２９条第２項の規定により特許を受けることができない。
（３）当審の判断
ア．特許異議，申立人株式会社クボタの特許異議申立て理由
（甲第１乃至７号証刊行物）
　特許異議申立人が提示する甲第１乃至４、６号証刊行物は、上記（２−２）の引用刊行物２、１、３、４、５にそれぞれ該当するから、上記（２−２）に記載されたとおりの事項が記載され、甲第５、７号証刊行物には以下の事項が記載されているものと認める。
・甲第５号証
　スクリューデカンタ型遠心分離機において、ソリッドボウル部で濃縮された一次脱水ケーキは、スクリューコンベアでスクリーン上に運ばれ、そこで２次脱水されて機外に排出されること。
・甲第７号証
　遠心脱水機の対象物の粒度が１０〜５０００μであること。
（対比・判断）
　上記（２−２）で述べたように、本件発明１乃至５は、「スクリューコンベヤを有するデカンタ型遠心分離機において、大径の平行部の全部又は一部に濾液排出孔が形成され、該濾液排出孔が形成された内壁に多孔質体が配設されており、且つ、固形物排出側と反対の大径の平行部端には、清澄液の溢流口が設けられていない」という構成を必須の構成要件として採用しているが、上記甲第１乃至７号証には、上記必須の構成要件について記載も示唆もされていない。
　そして、本件発明１乃至５は、上記必須の構成要件を採用することによって、明細書記載の作用効果を奏するものであるから、本件発明１乃至５は、甲第１乃至７号証記載の発明に基づいて当業者が容易に発明をすることができたものとは認められない。
イ．特許異議申立人コトブキ技研工業株式会社の特許異議申立てについて
（甲第２乃至５号証刊行物）
　特許異議申立人が提示する甲第２、５号証刊行物は、上記（２−２）の引用刊行物１、２にそれぞれ該当するから、上記（２−２）に記載されたとおりの事項が記載され、甲第３、４号証刊行物には以下の事項が記載されているものと認める。
・甲第３号証
　外側回転筒及び該外側回転筒内に相対回転自在に設けられたスクリューコンベヤを有するデカンタ型遠心分離機において、前記外側回転筒は、大径の平行部と、該平行部より固形物排出側に設けられた小径の平行部と、前記平行部を接続する傾斜部とからなり、該小径の平行部に脱液開口孔が形成され、該脱液開口孔にスクリーンが配設されていることを特徴とするデカンタ型遠心分離機。
・甲第４号証
　外側回転筒及び該外側回転筒内に相対回転自在に設けられたスクリューコンベヤを有するデカンタ型遠心分離機において、前記外側回転筒の傾斜部に濾材を内張りしたデカンタ型遠心分離機。
（対比・判断）
　上記（２−２）で述べたように、訂正後の本件発明１乃至５は、「スクリューコンベヤを有するデカンタ型遠心分離機において、大径の平行部の全部又は一部に濾液排出孔が形成され、該濾液排出孔が形成された内壁に多孔質体が配設されており、且つ、固形物排出側と反対の大径の平行部端には、清澄液の溢流口が設けられていない」という構成を必須の構成要件として採用しているが、上記甲第２乃至５号証には、上記必須の構成要件について記載も示唆もされていない。　　　　　　　　　　　　　　　　　　
　そして、本件発明１乃至５は、上記必須の構成要件を採用することによって、明細書記載の作用効果を奏するものであるから、本件発明１乃至５は、甲第２乃至５号証記載の発明に基づいて当業者が容易に発明をすることができたものとは認められない。
ＩＶ．むすび
　以上のとおりであるから、本件特許異議申立の理由及び証拠方法によっては、本件発明の特許を取り消すことはできない。
　また、他に本件発明の特許を取り消すべき理由を発見することができない。
　よって、結論のとおり決定する。
【異議決定日】
平成１１年６月１８日（１９９９．６．１８）
【訂正の要旨】
訂正の要旨
　特許第２７１８４１８号発明の明細書を、訂正請求書に添付された訂正明細書のとおり訂正する。
　すなわち、特許請求の範囲の減縮を目的として、
（１）請求項１の「外側回転筒及び該外側回転筒内に相対回転自在に設けられたスクリューコンベヤを有するデカンタ型遠心分離機において、
　前記外側回転筒は、大径の平行部と該平行部から固形物排出側に傾斜する傾斜部とからなり、該傾斜部の全部又は一部に濾液排出孔が形成され、該傾斜部の排出孔が形成された内壁に多孔質体が配設されていることを特徴とするデカンタ型遠心分離機。」を、「外側回転筒及び該外側回転筒内に相対回転自在に設けられたスクリューコンベヤを有すると共に、前記外側回転筒は、大径の平行部と該平行部から固形物排出側に傾斜する傾斜部とからなり、該傾斜部の全部又は一部に濾液排出孔が形成され、該傾斜部の排出孔が形成された内壁に多孔質体が配設されているデカンタ型遠心分離機において、
　前記大径の平行部の全部又は一部に濾液排出孔が形成され、該濾液排出孔が形成された内壁に多孔質体が配設されており、且つ、前記固形物排出側と反対の前記大径の平行部端には、清澄液の溢流口が設けられていないことを特徴とするデカンタ型遠心分離機。」と訂正する。
（２）請求項２の「外側回転筒及び該外側回転筒内に相対回転自在に設けられたスクリューコンベヤを有するデカンタ型遠心分離機において、
　前記外側回転筒は、大径の平行部と、該平行部より固形物排出側に設けられた小径の平行部と、前記平行部を接続する傾斜部とからなり、該小径の平行部の全部又は一部に濾液排出孔が形成され、該小径の平行部の排出孔が形成された内壁に多孔質体が配設されていることを特徴とするデカンタ型遠心分離機。」を、
「外側回転筒及び該外側回転筒内に相対回転自在に設けられたスクリューコンベヤを有すると共に、前記外側回転筒は、大径の平行部と、該平行部より固形物排出側に設けられた小径の平行部と、前記平行部を接続する傾斜部とからなり、該小径の平行部の全部又は一部に濾液排出孔が形成され、該小径の平行部の排出孔が形成された内壁に多孔質体が配設されているデカンタ型遠心分離機において、
　前記大径の平行部及び前記傾斜部の全部又は一部に濾液排出孔が形成され、該大径の平行部及び該傾斜部の濾液排出孔が形成されたそれぞれの内壁に多孔質体が配設されており、且つ、前記固形物排出側と反対の前記大径の平行部端には、清澄液の溢流口が設けられていないことを特徴とするデカンタ型遠心分離機。」と訂正する。
（３）請求項３の「外側回転筒及び該外側回転筒内に相対回転自在に設けられたスクリューコンベヤを有するデカンタ型遠心分離機において、
　前記外側回転筒は、大径の平行部と、該平行部から固形物排出側に順次設けられた第１及び第２の傾斜部とからなり、該第２の傾斜部の全部又は一部に濾液排出孔が形成され、該傾斜部の排出孔が形成された内壁に多孔質体が配設されていることを特徴とするデカンタ型遠心分離機。」を、
　「外側回転筒及び該外側回転筒内に相対回転自在に設けられたスクリューコンベヤを有すると共に、前記外側回転筒は、大径の平行部と、該平行部から固形物排出側に順次設けられた第１及び第２の傾斜部とからなり、該第２の傾斜部の全部又は一部に瀘液排出孔が形成され、該傾斜部の排出孔が形成された内壁に多孔質体が配設されているデカンタ型遠心分離機において、
　前記大径の平行部及び前記第１の傾斜部の全部又は一部に濾液排出孔が形成され、該濾液排出孔が形成されたそれぞれの内壁に多孔質体が配設されており、且つ、前記固形物排出側と反対の前記大径の平行部端には、清澄液の溢流口が設けられていないことを特徴とするデカンタ型遠心分離機。」と訂正する。
（４）請求項４を削除する。
（５）請求項５の「外側回転筒及び該外側回転筒内に相対回転自在に設けられたスクリューコンベヤを有するデカンタ型遠心分離機において、
　前記外側回転筒は、大径の平行部と、該平行部から固形物排出側に伸びる小径の平行部又は傾斜部とからなり、該大径の平行部のみの全部又は一部に濾液排出孔が形成され、該大径の平行部の排出孔が形成された内壁に多孔質体が配設されていることを特徴とするデカンタ型遠心分離機。」を、
新たに請求項４とし、「外側回転筒及び該外側回転筒内に相対回転自在に設けられたスクューコンベヤを有するデカンタ型遠心分離機において、
　前記外側回転筒は、大径の平行部と、該平行部から固形物排出側に伸びる小径の平行部又は傾斜部とからなり、該大径の平行部のみの全部又は一部に濾液排出孔が形成され、該大径の平行部の排出孔が形成された内壁に多孔質体が配設されており、且つ、前記固形物排出側と反対の前記大径の平行部端には、清澄液の溢流口が設けられていないことを特徴とするデカンタ型遠心分離機。」と訂正する。
（６）請求項６の「請求項１乃至５のいずれかのデカンタ型遠心分離機において、前記多孔質体は、セラミック、金属の焼結体、特殊金網、又は樹脂のいずれかより構成されていることを特徴とするデカンタ型遠心分離機。」を、
　新たに請求項５とし、「請求項１乃至４のいずれかのデカンタ型遠心分離機において、前記多孔質体は、セラミック、金属の焼結体、特殊金網、又は樹脂のいずれかより構成されていることを特徴とするデカンタ型遠心分離機。」と訂正する。
　さらに、上記特許請求の範囲の訂正等に伴う明りょうでない記載の釈明を目的として、
（７）段落番号２の「スクリューコンベア８」を「スクリューコンベヤ８」（公報第３欄第２９行参照）と、段落番号５の「供給穴９」及び「穴９」（公報第４欄第５行、第８行参照）をともに「供給孔９」と、段落番号９の「速かに」（公報第４欄第３５行参照）を「速やかに」と訂正する。
（８）段落番号１２の「上記目的を達成するために、・・・ことを特徴とする。」（公報第５欄第１２〜３９行参照）を、
「上記目的を達成するために、本発明によるデカンタ型遠心分離機は、外側回転筒及び該外側回転筒内に相対回転自在に設けられたスクリューコンベヤを有すると共に、前記外側回転筒は、大径の平行部と該平行部から固形物排出側に傾斜する傾斜部とからなり、該傾斜部の全部又は一部に濾液排出孔が形成され、該傾斜部の排出孔が形成された内壁に多孔質体が配設されているデカンタ型遠心分離機において、前記大径の平行部の全部又は一部に濾液排出孔が形成され、該濾液排出孔が形成された内壁に多孔質体が配設されており、且つ、前記固形物排出側と反対の前記大径の平行部端には、清澄液の溢流口が設けられていないことを特徴とし、また、外側回転筒及び該外側回転筒内に相対回転自在に設けられたスクリューコンベヤを有すると共に、前記外側回転筒は、大径の平行部と、該平行部より固形物排出側に設けられた小径の平行部と、前記平行部を接続する傾斜部とからなり、該小径の平行部の全部又は一部に濾液排出孔が形成され、該小径の平行部の排出孔が形成された内壁に多孔質体が配設されているデカンタ型遠心分離機において、前記大径の平行部及び前記傾斜部の全部又は一部に濾液排出孔が形成され、該大径の平行部及び該傾斜部の濾液排出孔が形成されたそれぞれの内壁に多孔質体が配設されており、且つ、前記固形物排出側と反対の前記大径の平行部端には、清澄液の溢流口が設けられていないことを特徴とし、また、外側回転筒及び該外側回転筒内に相対回転自在に設けられたスクリューコンベヤを有すると共に、前記外側回転筒は、大径の平行部と、該平行部から固形物排出側に順次設けられた第１及び第２の傾斜部とからなり、該第２の傾斜部の全部又は一部に濾液排出孔が形成され、該傾斜部の排出孔が形成された内壁に多孔質体が配設されているデカンタ型遠心分離機において、前記大径の平行部及び前記第１の傾斜部の全部又は一部に濾液排出孔が形成され、該濾液排出孔が形成されたそれぞれの内壁に多孔質体が配設されており、且つ、前記固形物排出側と反対の前記大径の平行部端には、清澄液の溢流口が設けられていないことを特徴し、また、外側回転筒及び該外側回転筒内に相対回転自在に設けられたスクリューコンベヤを有するデカンタ型遠心分離機において、前記外側回転筒は、大径の平行部と、該平行部から固形物排出側に伸びる小径の平行部又は傾斜部とからなり、該大径の平行部のみの全部又は一部に濾液排出孔が形成され、該大径の平行部の排出孔が形成された内壁に多孔質体が配設されており、且つ、前記固形物排出側と反対の前記大径の平行部端には、清澄液の溢流口が設けられていないことを特徴とする。」と訂正する。
（９）段落番号１３の「以下、本発明の実施例について説明する。」（公報第５欄第４１行参照）を、「以下、本発明に先行する実施態様の例（「以下「先行例」という）及び本発明の実施態様の例（以下「実施例」という）について説明する。」と訂正する。
（１０）段落番号１４、１７、１８の「実施例」（公報第５欄第４２行、第６欄第１６行、第２２行、第２３行参照）をそれぞれ「先行例」と訂正する。
（１１）段落番号１４の「２２適宜個数」（公報第５欄第４７〜４８行参照）を「２２が適宜個数」と、段落番号１４、１７の「排出孔」　（公報第５欄４８行、第６欄第１９行参照）をそれぞれ「濾液排出孔」と訂正する。
（１２）段落番号１９の「第４の実施例」（公報第６欄第３０行参照）を「一実施例」と、「大径平行部」（公報第６欄第３１行参照）を「大径の平行部」と、「小径平行部」（公報第６欄第３２行参照）を「小径の平行部」と、「複数の孔」（公報第６欄第３２〜３３行参照）を「複数の濾液排出孔」と、段落番号２０の「濾液清澄」（公報第７欄第２行参照）を「濾液清澄度」と、それぞれ訂正する。
（１３）段落番号２１の「本発明」（公報第７欄第４行、第１６行参照）を「本実施例」と、「孔２２Ａ」（公報第７欄第７行参照）を「濾液排出孔２２Ａ」と、「従来型」（公報第７欄第１１行参照）を「従来の」と、「攪って」（公報第７欄第１５行参照）を「損って」と、「細孔２３Ａから孔２２Ａ」（公報第７欄第１７〜１８行参照）を「濾過層２３Ａの細孔から濾液排出孔２２Ａ」と、「細孔２３Ａの」（公報第７欄第１８〜１９行参照）を「濾過層２３Ａの細孔の」と、段落番号２２及び２３の「小径平行部」（公報第７欄第２５行、第２６行参照）をそれぞれ「小径の平行部」と、段落番号２３の「孔２２Ｃ」（公報第７欄第３１行）を「濾液排出孔２２Ｃ」と訂正する。
（１４）段落番号２４の「各実施例」（公報第７欄第４０行参照）を「本発明の各先行例及び一実施例」と、段落番号２５の「また、他の実施例として・・・構成とする。」（公報第７欄４４〜４６行参照）を、［また、他の先行例として、以上の第１乃至第３の各先行例において、濾液排出孔の形成されていない大径の平行部、傾斜部にも、濾液排出孔を設ける構成とすることができる。」と訂正する。
（１５）段落番号２５の「更に、第１乃至第４実施例・・・設けられている。」（公報第７欄第４７〜４９行参照）を、「更に、別の先行例として、外側回転筒及び該外側回転筒内に相対回転自在に設けられたスクリューコンベヤを有するデカンタ型遠心分離機に於て、前記外側回転筒は、大径の平行部と、該平行部から固形物排出側に伸びる小径の平行部又は傾斜部とからなり、該大径の平行部のみの全部又は一部に濾液排出孔を設ける構成とすることができる。そして、本発明の実施例としては、上記した各先行例において、大径の平行部と濾液排出孔が形成された内壁に多孔質体が配設されており、且つ、前記固形物排出側と反対の前記大径の平行部端には、清澄液の溢流口が設けられていない構成とすることができる。」と訂正する。
（１６）段落番号２６及び２７の「実施例」（公報第８欄第１行、第８行参照）を「実施態様」と訂正する。
（１７）段落番号２８の「外側回転筒の・・・設けたので」（公報第８欄第１９〜２１行参照）を、「外側回転筒の所要部及び大径の平行部に濾液排出孔を形成し、該濾液排出孔を形成した有孔部の内壁に多孔質体を設けると共に、固形物排出側と反対の前記大径の平行部端には、清澄液の溢流口が設けられていない構成としたので」と訂正する。
（１８）図面の簡単な説明の「第１の実施例」、「第２の実施例」、「第３の実施例」をそれぞれ「第１の先行例」、「第２の先行例」、「第３の先行例」と、「第４の実施例」を「一実施例」と、「コンベヤ」を「スクリューコンベヤ」と訂正する。
（５４）【発明の名称】
デカンタ型遠心分離機
（５７）【特許請求の範囲】
　【請求項１】　外側回転筒及び該外側回転筒内に相対回転自在に設けられたスクリューコンベヤを有する
と共に、前記外側回転筒は、大径の平行部と該平行部から固形物排出側に傾斜する傾斜部とからなり、該傾斜部の全部又は一部に濾液排出孔が形成され、該傾斜部の濾液排出孔が形成された内壁に多孔質体が配設されている
　
前記大径の平行部の全部又は一部に濾液排出孔が形成され、該濾液排出孔が形成された内壁に多孔質体が配設されており、且つ、前記固形物排出側と反対の前記大怪の平行部端には、清澄液の隘流口が設けられていない
　【請求項２】　外側回転筒及び該外側回転筒内に相対回転自在に設けられたスクリューコンベヤを有する
と共に、前記外側回転筒は、大径の平行部と、該平行部より固形物排出側に設けられた小径の平行部と、前記平行部を接続する傾斜部とからなり、該小径の平行部の全部又は一部に濾液排出孔が形成され、該小径の平行部の濾液排出孔が形成された内壁に多孔質体が配設されている
　
前記大径の平行部及び前記傾斜部の全部又は一部に濾液排出孔が形成され、該大径の平行部及び該傾斜部の濾液排出孔が形成されたそれぞれの内壁に多孔質体が配設されており、且つ、前記固形物排出側と反対の前記大径の平行部端には、清澄液の溢流口が設けられていない
　【請求項３】　外側回転筒及び該外側回転筒内に相対回転自在に設けられたスクリューコンベヤを有する
と共に、前記外伸回転筒は、大径の平行部と、該平行部から固形物排出側に順次設けられた第１及び第２の傾斜部とからなり、該第２の傾斜部の全部又は一部に濾液排出孔が形成され、該傾余部の濾液排出孔が形成された内壁に多孔質体が配設されている
　
前記大径の平行部及び前記第１の傾斜部の全部又は一部に濾液排出孔が形成され、該濾液排出孔が形成されたそれぞれの内壁に多孔質体が配設されており、且つ、前記固形物排出側と反対の前記大径の平行部端には、清澄液の溢流口が設けられていない
　【請求項４】　
外側回転筒及び該外側回転筒内に相対回転自在に設けられたスクリューコンベヤを有する
　前記外側回転筒
は、大径の平行部と、該平行部から固形物排出側に伸びる小径の平行部又は傾斜部とからなり、該大径の平行部のみの全部又は一部に濾液排出孔が形成され、該大径の平行部の濾液排出孔が形成された内壁に多孔質体が配設されており、且つ、前記固形物排出側と反対の前記大径の平行部端には、清澄液の溢流口が設けられていない
　【請求項５】　
請求項１乃至４のいずれかのデカンタ型遠心分離機において、前記多孔質体は、セラミック、金属の焼結体、特殊金網、又は樹脂のいずれかにより構成
【発明の詳細な説明】
　【０００１】
　【産業上の利用分野】
　本発明は、デカンタ型遠心分離機に於いて、遠心力作用下に於ける固形物の脱液の促進と、回転筒内に於いて固形物を母液あるいは他の液体によって洗浄置換する場合の洗浄効果と洗浄後の脱液作用の促進及び回転筒からの濾液の排出方法を改良する事による濾液の高清澄化に係るものである。
　【０００２】
　【従来の技術】
　従来型のデカンタ型遠心分離機の一例を図１２に示す。同図に示すデカンタ型遠心分離機は、高速回転する外側円筒７を有し、該外側円筒７の内部に、羽根２を有するスクリューコンベ
ヤ
　【０００３】
　而してスラリー等の供給液を外側回転筒７内に供給し、該回転筒を回転すると、回転筒内で遠心力によって沈降分離された固定物は、外側回転筒７と同軸上で、且つわずかな回転差を有して回転するスクリューコンベヤ８の羽根２によって▲掻▼き寄せられて順次、固形
物出
　【０００４】
　スクリューコンベヤ８の羽根２の先端と外側回転筒７の内面との間には僅小な隙間ａが存在する。ドライビーチ上で遠心力によって固形物から離脱した液は、半径外方向に移動し、その後、羽根先端と外側回転
筒
　【０００５】
　しかしながら実際の遠心分離機に於いては、隙間ａの部分には固形物による残層Ｒが存在し、この為に離脱した液分の液面１の方向に対する迅速な移動が妨げられ、このため、離脱した液が固形物層内に滞留したまま固形物出口５に到達して機外に放出される結果、回収固形物の含液率が高くなると云う欠点があった。また、濾液について云えば、コンベヤ胴に開口した供給
孔
供給孔
　【０００６】
　この固形物粒子の排出を規定する因子は、遠心力、外側回転筒の内径、長さ及びダム径すなわち外側回転筒の大きさである。高い清澄性を得ようとすれば、遠心力及び回転筒サイズを大きくしなければならず、回転筒の応力が高くなるなどの技術的問題が発生し、また経済的にも見合わない場合が多いのである。
　【０００７】
　これ等の欠点を補うものとして図１３に示すタイプのデカンタ型遠心分離機が開発された。即ち外側回転筒の傾斜部を上った箇所に平行部４を設け、この部分に複数個の排出孔１１を設けて有孔壁とし、且つ、その内面にバースクリーンと呼ばれるスクリーン６を配したものである。
　【０００８】
　バースクリーンは、図１４に示すような三角形あるいは駒状の断面を有するウエッジワイヤーと呼ばれるバーを、三角形断面上の１つの面ｄがバースクリーンの内表面を成す如くに、円筒状に隣接させて配置したものであり、隣り合うウェッジワイヤ
ー
　【０００９】
　すなわち、このタイプのデカンタ型遠心分離機によれば、バースクリーン６上を固形物出口５に向って移動していく固形物中の液は、遠心力によって離脱して外半径方向に移動した後、バースクリーンの隙間ｅを通過し、次に平行部の孔１１を通って速
や
　【００１０】
　しかし、このタイプのデカンタ型遠心分離機も、実際の遠心分離機に於いては、バースクリーンの隙間ｅ部分の目詰りが発生し所期の効果が発揮されず、問題点は解決されていない。特に粒径の小さい処理物を扱う場合、バースクリーン部からの固形物粒子の逃げを防止する目的で、隙間ｅは、小さく選定されなければならないが、隙間ｅを小さくする事により、バースクリーン全体としての開孔率は小さくなり、脱水機能が低下するのみでなく、目詰りも発生し易くなるのである。また濾液の清澄度に関する問題点は、このタイプのデカンタ型遠心分離機に於いても従来機と同様で改善はされていない。
　【００１１】
　【発明が解決しようとする課題】
　本発明が解決しようとする課題は、従来型デカンタ型遠心分離機の有する欠点、すなわちドライビーチ上に於ける固形物の離脱液及び洗浄液の通路の閉塞状態に起因する脱水不良と洗浄効果不良の解決であり、更に進んで、従来型デカンタ型遠心分離機の清澄液が固形物出口と反対端に設けられた▲溢▼流口より流出する為に、比重の軽い固形物あるいは粒子径の小さい固形物が、流出清澄液と共に同伴されて濾液清澄度が低下するのを解決することを目的とするものである。
　【００１２】
　【課題を解決するための手段】
　上記目的を達成するために、本発明によるデカンタ型遠心分離機は、外側回転筒及び該外側回転筒内に相対回転自在に設けられたスクリューコンベヤを有する
と共に、前記外側回転筒は、大径の平行部と該平行部から固形物排出側に傾斜する傾斜部とからなり、該傾斜部の全部又は一部に濾液排出孔が形成され、該傾斜部の濾液排出孔が形成された内壁に多孔質体が配設されている
前記大径の平行部の全部又は一部に濾液排出孔が形成され、該濾液排出孔が形成された内壁に多孔質体が配設されており、且つ、前記固形物排出側と反対の前記大径の平行部端には、清澄液の▲溢▼流口が設けられていない
と共に、前記外側回転筒は、大径の平行部と、該平行部より固形物排出側に設けられた小径の平行部と、前記平行部を接続する傾斜部とからなり、該小径の平行部の全部又は一部に濾液排出孔が形成され、該小径の平行部の濾液排出孔が形成された内壁に多孔質体が配設されている
前記大径の平行部及び前記傾斜部の全部又は一部に濾液排出孔が形成され、該大径の平行部及び該傾斜部の濾液排出孔が形成されたそれぞれの内壁に多孔質体が配設されており、且つ、前記固形物排出側と反対の前記大径の平行部端には、清澄液の▲溢▼流口が設けられていない
と共に、前記外側回転筒は、大径の平行部と、該平行部から固形物排出側に順次設けられた第１及び第２の傾斜部とからなり、該第２の傾斜部の全部又は一部に濾液排出孔が形成され、該傾斜部の濾液排出孔が形成された内壁に多孔質体が配設されている
前記大径の平行部及び前記第１の傾斜部の全部又は一部に濾液排出孔が形成され、該濾液排出孔が形成されたそれぞれの内壁に多孔質体が配設されており、且つ、前記固形物排出側と反対の前記大径の平行部端には、清澄液の▲溢▼流口が設けられていない
外側回転筒及び該外伸回転筒内に相対回転自在に設けられたスクリューコンベヤを有する
は、大径の平行部と、該平行部から固形物排出側に伸びる小径の平行部又は傾斜部とからなり、該大径の平行部のみの全部又は一部に濾液排出孔が形成され、該大径の平行部の濾液排出孔が形成された　壁に多孔質体が配設されており、且つ、前記固形物排出側と反対の前記大径の平行部端には、清澄液の▲溢▼流口が設けられていない
　【００１３】
　【実施例】
　以下、本発明
に先行する実施態様の例（以下［先行例」という）及び本発明の実施態様の例（以下「実施例」という）
　【００１４】
　図１は、本発明の第１の
先行
が
濾液
　【００１５】
　上記構成に於て、スクリューコンベヤ内にスラリーを供給すると、供給孔９から外側回転筒内に供給され、該回転筒の回転による遠心力により、固形物は、回転筒内壁に沈降し、コンベヤ８によって回転筒の一方端である固形物排出側（図１において左側）へ▲掻▼き寄せられ、傾斜部２１Ｂにおいて、遠心力により脱液作用を受け固形物排出側へ移送され、排出される。
　【００１６】
　脱水のメカニズムや外側回転筒の図１における右側端部（固形物排出側の反対側）の構成等は、後述の図４において詳細に述べる。
　【００１７】
　図２に本発明の第２の
先行
濾液
先行
　【００１８】
　図３に本発明の第３の
先行
先行
　【００１９】
　図４に本発明の
一
の
の
濾液排出
　【００２０】
　回転筒内に供給されたスラリーは遠心力の作用下で母液と固形物の比重差によって分離する。従来型の無孔壁を有するデカンタ型遠心分離機に於いては、外側回転筒内の液レベルはダムレベルによって決定され、液はダムより▲溢▼流する。この際固形物の比重が軽い場合や固形物粒子径が小さい場合は、いわゆるキャリオーバ現象が発生し、固形物が▲溢▼流液の流れに乗って流出し、濾液清澄
度
　【００２１】
　本
実施例
の
損
実施例
濾過層
の細孔
濾液排出
濾過層
細孔の
　【００２２】
　一方、回転筒内に沈降した固形物はスクリューコンベヤ８によって、回転筒左端に位置する固形物出口方向に▲掻▼き寄せられ傾斜部２で遠心力による脱液作用を受けながら小径
の
　【００２３】
　傾斜部２１Ｂ及び小径
の
濾液排出
　【００２４】
　以上
本発明の各先行例及び一
　【００２５】
　また、他の
先行
３
先行
濾液
ことができる
別の先行例として、外側回転筒及び核外側回転筒内に相対回転自在に設けられたスクリューコンベヤを有するデカンタ型遠心分離機に於て、前記外側回転筒は、大径の平行部と、該平行部から固形物排出側に伸びる小径の平行部又は傾斜部とからなり、該大径の平行部のみの全部又は一部に濾液排出孔を設ける構成とすることができる。そして本発明の実施例としては、上記した各先行例において、大径の平行部と濾液排出孔が形成された内壁に多孔質体が配設されており、且つ、前記固形物排出側と反対の前記大径の平行部端には、清澄液の▲溢▼流ロが設けられていない構成とすることができる。
　【００２６】
　次に、セラミックによる多孔質体２３の具体的な実施
態様
　【００２７】
　また、図９に示す実施
態様
態様
　【００２８】
　【発明の効果】
　以上説明したように、本発明によるデカンタ型遠心分離機は、外側回転筒の所要部
及び大径の平行部
濾液排出
ると共に、固形物排出側と反対の前記大径の平行部端には、清澄液の▲溢▼流口が設けられていない構成とした
【図面の簡単な説明】
　【図１】
　本発明によるデカンタ型遠心分離機の第１の
先行
　【図２】
　本発明によるデカンタ型遠心分離機の第２の
先行
　【図３】
　本発明によるデカンタ型遠心分離機の第３の
先行
　【図４】
　本発明によるデカンタ型遠心分離機の
一
　【図５】
　本発明によるデカンタ型遠心分離機の
一
　【図６】
　本発明の多孔質体を一体で円筒状に成形したる例を示す図。
　【図７】
　本発明の多孔質体を棒状に成形した多孔質体を組合わせて円筒状になした例を示す図。
　【図８】
　本発明の多孔質体を短円筒状に成形した多孔質体を複数個組合わせて一体化する例を示す図。
　【図９】
　矩形に成形した多孔質体を組み合わせて円筒状に成したる例を示す図。
　【図１０】
　図６乃至９の方法で製作した多孔質体を別紙製作した金属製で且つ胴部に多数の穴をあけたスリーブに挿入して一体化する例を示す図。
　【図１１】
　図６乃至９の方法で製作した多孔質体を別途製作した金網あるいはその他の材質の網に挿入して一体化する例を示す図。
　【図１２】
　従来型デカンタ型遠心分離機の一例に於ける構造説明及び固形物の脱液メカニズム説明図。
　【図１３】
　従来デカンタ型遠心分離機の改良例に於ける構造説明及び固形物の脱液メカニズム製図。
　【図１４】
　図１２，１３の従来例におけるバースクリーンの断面構造図。
　【符号の説明】
２…羽根
８…
スクリュー
９…供給孔
２１Ａ…大径の平行部
２１Ｂ，２１Ｄ…傾斜部
２１Ｃ…小径の平行部
２２…
濾液
２３…多孔質体